(57)【要約】【課題】現在の傘の房は、切欠が出来てその後連結できる手段が施されていないので、フック、釘等の掛られる側が開いている場合に掛けることが出来るが、家庭の手擦りや電車の手擦り等の掛けられる側が閉じられている場合には掛けることが出来なかった。【解決手段】傘に取付けられている房を切欠出来るように施し、切欠した両端が連結できる手段を設けることにより、フックや釘がない場合や、手擦り等の閉じられたものしかない場合でも、連結されている両端を一時的に切欠し、掛けようするものに切欠した両端のどちらかを通し、その後切欠した両端を連結することにより、掛けることが出来るようになる。【選択図】図１
2012035025.tif 000002
【特許請求の範囲】
【請求項１】
傘に取付けられている房を切欠出来るように施し、切欠した両端が連結できる手段を設けることにより、フックや釘がないところや、手擦り等の閉じられたところでも、連結されている両端を一時的に切欠し、掛けようとするものに切欠した両端のどちらかを通し、その後切欠した両端を連結することにより、掛けることが出来るようになる傘の房。
【発明の詳細な説明】
【技術分野】
【０００１】  本発明は、傘の房を切欠出来るように施し、切欠した両端が連結できる手段を設けた傘の房に関するものである。
【発明の概要】
【発明が解決しようとする課題】
【０００２】  傘の房を使用して壁にあるフックや釘等に掛けることがあるが、掛けられる側の壁にフック、釘等がない場合には出来ない。また掛けれそうな手擦などがあっても、フックや釘などのように開いていない場合は掛けることが出来ず不便である。【０００３】  傘の房を使用して掛けることが出来ない場合は、傘を床に直接置くとか、どこか空いているところに置かなければならず不便である。【０００４】  フックや釘等がないところや、手擦り等の閉じられたところでも、掛けられるようにするものである。
【課題を解決するための手段】
【０００５】  この改善策として、傘の房を傘の手元から３ｃｍから５ｃｍの場所に切欠が出来るように施し、切欠した両端が連結できる手段を設けることにより、フックや釘がないところや、手擦り等の閉じられたところでも、連結されている両端を一時的に切欠し、掛けようとするものに切欠した両端のどちらかを通し、その後切欠した両端を連結することにより、掛けることが出来るようになることを最も主要な特徴とする。
【発明の効果】
【０００６】  本発明の効果は、傘の房を傘の手元から３ｃｍから５ｃｍの場所に切欠が出来るように施し、切欠した両端が連結できる手段を設けることによりフックや釘がないところや、手擦り等の閉じられたところでも、連結されている両端を一時的に切欠し、掛けようとするものに切欠した両端のどちらかを通し、その後切欠した両端を連結することにより、掛けることが出来るようになるという利点がある。
【発明を実施するための形態】
【実施例１】
【０００７】図１は、本発明の全体の側面図であって、（１０１）は壁面、（１０２）は閉じられた手擦り、（１０３）は房の切欠部分、（１０４）は房、（１０５）は手元、（１０６）は傘の広がる部分、（１１０）は要部の拡大部分である。
図１に示すとおり、傘の房を傘の手元から３ｃｍから５ｃｍの場所に切欠が出来るように施し、切欠した両端が連結できる手段を設けることにより、フックや釘がないところでも掛けることが出来るようになるものである。例えば、切欠した両端に連結のための雌雄を取り付けることにより、連結されている両端を一時的に切欠して英字の「Ｃ」状にし、掛けようとするものに切欠した両端のどちらかを通し、その後切欠した両端の雌雄を連結し「Ｏ」状にすることにより、掛けることが出来るようになるという利点がある。
【実施例２】
【０００８】図２に示すとおり、傘の房を傘の手元から３ｃｍから５ｃｍの場所に切欠が出来るように施し、切欠した両端が連結できる手段を設けることにより、フックや釘がないところでも掛けることが出来るようになるものである。例えば、切欠した両端に面ファスナーの雌雄を取り付けることにより、連結されている両端を一時的に切欠して英字の「Ｃ」状にし、掛けようとするものに切欠した両端のどちらかを通し、その後切欠した両端の面ファスナーを連結し「Ｏ」状にすることにより、掛けることが出来るようになるという利点がある。
【実施例３】
【０００９】図３に示すとおり、傘の房を傘の手元から３ｃｍから５ｃｍの場所に切欠が出来るように施し、切欠した両端が連結できる手段を設けることにより、フックや釘がないところでも掛けることが出来るようになるものである。例えば、切欠した両端にスナップボタンの雌雄を取り付けることにより、連結されている両端を一時的に切欠して英字の「Ｃ」状にし、掛けようとするものに切欠した両端のどちらかを通し、その後切欠した両端のボタンを連結し「Ｏ」状にすることにより、掛けることが出来るようになるという利点がある。
【実施例４】
【００１０】図４に示すとおり、傘の房を傘の手元から３ｃｍから５ｃｍの場所に切欠が出来るように施し、切欠した両端が連結できる手段を設けることにより、フックや釘がないところでも掛けることが出来るようになるものである。例えば、切欠した両端にボタンと切り込みのあるボタンを掛ける部分を取り付けることにより、連結されている両端を一時的に切欠して英字の「Ｃ」状にし、掛けようとするものに切欠した両端のどちらかを通し、その後切欠した両端のホックを連結し「Ｏ」状にすることにより、掛けることが出来るようになるという利点がある。
【実施例５】
【００１１】図５に示すとおり、傘の房を傘の手元から３ｃｍから５ｃｍの場所に切欠が出来るように施し、切欠した両端が連結できる手段を設けることにより、フックや釘がないところでも掛けることが出来るようになるものである。例えば、切欠した両端に磁石のＳ極とＮ極をを取り付けることにより、連結されている両端を一時的に切欠して英字の「Ｃ」状にし、掛けようとするものに切欠した両端のどちらかを通し、その後切欠した両端の磁石を連結し「Ｏ」状にすることにより、掛けることが出来るようになるという利点がある。
【実施例６】
【００１２】図６に示すとおり、傘の房を傘の手元から３ｃｍから５ｃｍの場所に切欠が出来るように施し、切欠した両端が連結できる手段を設けることにより、フックや釘がないところでも掛けることが出来るようになるものである。例えば、切欠した両端に掛けられる側の輪と掛ける側のフックを取り付けることにより、連結されている両端を一時的に切欠して英字の「Ｃ」状にし、掛けようとするものに切欠した両端のどちらかを通し、その後切欠した両端のボタンを切り込みを連結し「Ｏ」状にすることにより、掛けることが出来るようになるという利点がある。
【実施例７】
【００１３】図７に示すとおり、傘の房を傘の手元から３ｃｍから５ｃｍの場所に切欠が出来るように施し、切欠した両端が連結できる手段を設けることにより、フックや釘がないところでも掛けることが出来るようになるものである。例えば、切欠した両端に差し込む側の雄と差し込まれる側の雌を取り付けることにより、連結されている両端を一時的に切欠して英字の「Ｃ」状にし、掛けようとするものに切欠した両端のどちらかを通し、その後切欠した両端のボタンを切り込みを連結し「Ｏ」状にすることにより、掛けることが出来るようになるという利点がある。
【産業上の利用可能性】
【００１４】  傘に取付けられている房を切欠が出来るように施し、切欠した両端が連結できる手段を設けることにより、フックや釘がないところや、手擦り等の閉じられたものしかないところでも、連結されている両端を一時的に切欠し、掛けようとするものに切欠した両端のどちらかを通し、その後切欠した両端を連結することにより、掛けることが出来るようになり、色々なところに掛ける場合の用途に適用できる。
【図面の簡単な説明】
【００１５】
【図１】本発明の実施状態を示す側面図である。（実施例１）
【図２】要部の拡大図である。（実施例２）
【図３】要部の拡大図である。（実施例３）
【図４】要部の拡大図である。（実施例４）
【図５】要部の拡大図である。（実施例５）
【図６】要部の拡大図である。（実施例６）
【図７】要部の拡大図である。（実施例７）
【符号の説明】
【００１６】１０１  壁
１０２  閉じられた手擦り
１０３  傘の房の切欠した両端の開閉部分
１０４  傘の房
１０５  傘の手元（持つところ）
１０６  傘の広がる部分
１１０  要部の拡大部分
２０１  面ファスナーの雄
２０２  面ファスナーの雌
３０１  スナップボタンの雄
３０２  スナップボタンの雌
４０１  ボタン（雄）
４０２  ボタンを差し込む部分（雌）
５０１  磁石のＳ極
５０２  磁石のＮ極
６０１  掛けられる側の輪（雌）
６０２  掛ける側のフック（雄）
７０１  差し込まれる側（雌）
７０２  差し込む側（雄）
【図１】
2012035025.tif 000003
【図２】
2012035025.tif 000004
【図３】
2012035025.tif 000005
【図４】
2012035025.tif 000006
【図５】
2012035025.tif 000007
【図６】
2012035025.tif 000008
【図７】
2012035025.tif 000009